(57)【要約】      （修正有）【課題】被移送者を安全且つ確実に移送することができる被移送者の移送具を提供する。【解決手段】被移送者の臀部を覆う臀部被覆部と、前記臀部被覆部から手前側に延設されて被移送者の腹部を覆う腹部被覆部３とを少なくとも形成した被移送者保持部４に、第１の担ぎ手と第２の担ぎ手は正面を向いて両側に配置した正面向き配置と、被移送者保持部４に対し第１の担ぎ手と第２の担ぎ手は側方を向いて両側に配置した側方向き配置とに選択できるように、第１のベルト７と第２のベルト１０と、少なくとも４個の把持部１１、１３を設けた。【選択図】図１
2015016057.tif 000002
【特許請求の範囲】
【請求項１】
被移送者の臀部を覆う臀部被覆部と、前記臀部被覆部から手前側に延設されて被移送者の腹部を覆う腹部被覆部とを少なくとも形成し、前記臀部被覆部と前記腹部被覆部の延設方向における端部がそれぞれ臀部及び腹部を被覆する幅を有する被移送者保持部と、一端が前記臀部被覆部の端部の左側端縁に固着されるとともに他端が前記腹部被覆部の端部の左側端縁に固着されて被移送者保持部に対し左側に配置し正面を向いた第１の担ぎ手の外側の肩に掛けられる第１のベルトと、一端が臀部被覆部の端部の右側端縁に固着されるとともに他端が前記被移送者保持部の前記腹部被覆部の端部の右側端縁に固着されて被移送者保持部に対し右側に配置し正面を向いた第２の担ぎ手の外側の肩に掛けられる第２のベルトと、前記第１のベルトまたは被移送者保持部に設けられて第１の担ぎ手の一方の手で把持する第１の把持部と、前記第１のベルトまたは被移送者保持部に設けられて第１の担ぎ手の他方の手で把持する第２の把持部と、前記第２のベルトまたは被移送者保持部に設けられて第２の担ぎ手の一方の手で把持する第３の把持部と、前記第２のベルトまたは被移送者保持部に設けられて第２の担ぎ手の他方の手で把持する第４の把持部とを備えた被移送者の移送具であって、前記第１のベルトを被移送者保持部に対し左側に配置した第１の担ぎ手の外側の肩に掛け、前記第１の把持部と前記第２の把持部とを第１の担ぎ手が把持するとともに、前記第２のベルトを被移送者保持部に対し右側に配置した第２の担ぎ手の外側の肩に掛け、前記第３の把持部と前記第４の把持部とを第２の担ぎ手が把持し、被移送者保持部に対し第１の担ぎ手と第２の担ぎ手は正面を向いて両側に配置した正面向き配置と、被移送者保持部に対し第１の担ぎ手と第２の担ぎ手は側方を向いて両側に配置した側方向き配置とに進行方向の前側に位置する担ぎ手が正面向き配置の状態から進行方向に向きを変えるとともに、把持部を持ち替えることで選択できるようにしたことを特徴とする被移送者の移送具。
【請求項２】
前記第１のベルトは、前記腹部被覆部の端部の左側端縁から上方に延出されるとともに、前記臀部被覆部の端部の左側端縁から前記被移送者保持部に導入され、前記第２のベルトは、前記腹部被覆部の端部の右側端縁から上方に延出されるとともに、前記臀部被覆部の端部の右側端縁から前記被移送者保持部に導入されるものであり、前記第１のベルトと前記第２のベルトとを前記被移送者保持部の裏面で交差させて配設させるとともに、第１の把持部と、第２の把持部と、第３の把持部と、第４の把持部とを同一高さにして第１のベルトと第２のベルトに設けた請求項１記載の被移送者の移送具。
【請求項３】
前記被移送者保持部の被移送者の臀部を覆う前記臀部被覆部から手前側に延設されて被移送者の腹部を覆う前記腹部保持部には一対の開口部が形成されており、前期開口部には脚を保護する筒状の保護具が着脱自在に取り付けられる請求項１乃至請求項２のいずれか１項に記載の被移送者の移送具。
【請求項４】
前記被移送者保持部は、展開すると横方向が幅広の略長方形に形成されており、被移送者の臀部を覆う前記臀部被覆部と、前記臀部被覆部から手前側に延設されて被移送者の腹部を覆う前記腹部被覆部との間には腰被覆部がそれぞれ形成されている請求項１乃至請求項３のいずれか１項に記載の被移送者の移送具。
【発明の詳細な説明】
【技術分野】
【０００１】
本発明は、災害時の救助時や介護において、担ぎ手が被移送者を吊り下げて移送することができる被移送者の移送具に関するものである。
【背景技術】
【０００２】
従来、災害時の救助時や介護において、担ぎ手が被移送者を吊り下げることができる被移送者の移送具は、種々提案されている。
【０００３】
例えば、特許文献１に示すものは、被介護者を二人の介護者で移送するための移送用具において、板状の座部及び背あての左右両側にそれぞれ設けた抱え上げ用の肩掛けベルトを進行方向右側の介護者は左前方から左肩を経て背中を回して右わき腹の前で、進行方向左側の介護者は右前方から右肩を経て背中を回して左わき腹の前で、装着した移送用具が提案されているが、このものにあっては、被介護者が滑り落ちるのを防止するのは腰を保持するベルト状の保護帯のみであり、腰をベルト状の保護帯で保持しているだけであるため、板状の座部に座った被介護者の体は安定せず、明るい建物内での移送には支障が無いとしても悪条件が想定される災害時の救助時や暗い建物内や駐車場での移送においては被介護者がずり落ちるおそれがあり、ずり落ちると怪我に結びつくという問題点があった。  
【０００４】
又、特許文献１に示すものにあっては、第１のベルトと第２のベルトとで被移送者保持部の裏面で交差させて配設させるとともに、第１の把持部と、第２の把持部と、第３の把持部と、第４の把持部とを同一高さにして第１のベルトと第２のベルトに設けた構成がなく、被移送者保持部に対し第１の担ぎ手と第２の担ぎ手は正面を向いて両側に配置した正面向き配置と、被移送者保持部に対し第１の担ぎ手と第２の担ぎ手は側方を向いて両側に配置した側方向き配置とに状況に応じて選択できるようにはなっていないものである。
【先行技術文献】
【特許文献】
【０００５】
【特許文献１】特開２００３−７９６７６号公報
【発明の概要】
【発明が解決しようとする課題】
【０００６】
本発明は上記従来の課題を解決するものであり、被移送者を安全且つ確実に移送することができる被移送者の移送具を提供することにある。 
【課題を解決するための手段】
【０００７】
上記課題を解決するため、本発明の被移送者の移送具は、被移送者の臀部を覆う臀部被覆部と、前記臀部被覆部から手前側に延設されて被移送者の腹部を覆う腹部被覆部とを少なくとも形成し、前記臀部被覆部と前記腹部被覆部の延設方向における端部がそれぞれ臀部及び腹部を被覆する幅を有する被移送者保持部と、一端が前記臀部被覆部の端部の左側端縁に固着されるとともに他端が前記腹部被覆部の端部の左側端縁に固着されて被移送者保持部に対し左側に配置し正面を向いた第１の担ぎ手の外側の肩に掛けられる第１のベルトと、一端が臀部被覆部の端部の右側端縁に固着されるとともに他端が前記被移送者保持部の前記腹部被覆部の端部の右側端縁に固着されて被移送者保持部に対し右側に配置し正面を向いた第２の担ぎ手の外側の肩に掛けられる第２のベルトと、前記第１のベルトまたは被移送者保持部に設けられて第１の担ぎ手の一方の手で把持する第１の把持部と、前記第１のベルトまたは被移送者保持部に設けられて第１の担ぎ手の他方の手で把持する第２の把持部と、前記第２のベルトまたは被移送者保持部に設けられて第２の担ぎ手の一方の手で把持する第３の把持部と、前記第２のベルトまたは被移送者保持部に設けられて第２の担ぎ手の他方の手で把持する第４の把持部とを備えた被移送者の移送具であって、前記第１のベルトを被移送者保持部に対し左側に配置した第１の担ぎ手の外側の肩に掛け、前記第１の把持部と前記第２の把持部とを第１の担ぎ手が把持するとともに、前記第２のベルトを被移送者保持部に対し右側に配置した第２の担ぎ手の外側の肩に掛け、前記第３の把持部と前記第４の把持部とを第２の担ぎ手が把持し、被移送者保持部に対し第１の担ぎ手と第２の担ぎ手は正面を向いて両側に配置した正面向き配置と、被移送者保持部に対し第１の担ぎ手と第２の担ぎ手は側方を向いて両側に配置した側方向き配置とに進行方向の前側に位置する担ぎ手が正面向き配置の状態から進行方向に向きを変えるとともに、把持部を持ち替えることで選択できるようにしたことを特徴とする。
【発明の効果】
【０００８】
本発明の被移送者の移送具は、被移送者の臀部を覆う臀部被覆部と、前記臀部被覆部から手前側に延設されて被移送者の腹部を覆う腹部被覆部とを少なくとも形成し、前記臀部被覆部と前記腹部被覆部の延設方向における端部がそれぞれ臀部及び腹部を被覆する幅を有する被移送者保持部と、一端が前記臀部被覆部の端部の左側端縁に固着されるとともに他端が前記腹部被覆部の端部の左側端縁に固着されて被移送者保持部に対し左側に配置し正面を向いた第１の担ぎ手の外側の肩に掛けられる第１のベルトと、一端が臀部被覆部の端部の右側端縁に固着されるとともに他端が前記被移送者保持部の前記腹部被覆部の端部の右側端縁に固着されて被移送者保持部に対し右側に配置し正面を向いた第２の担ぎ手の外側の肩に掛けられる第２のベルトと、前記第１のベルトまたは被移送者保持部に設けられて第１の担ぎ手の一方の手で把持する第１の把持部と、前記第１のベルトまたは被移送者保持部に設けられて第１の担ぎ手の他方の手で把持する第２の把持部と、前記第２のベルトまたは被移送者保持部に設けられて第２の担ぎ手の一方の手で把持する第３の把持部と、前記第２のベルトまたは被移送者保持部に設けられて第２の担ぎ手の他方の手で把持する第４の把持部とを備えた被移送者の移送具であって、前記第１のベルトを被移送者保持部に対し左側に配置した第１の担ぎ手の外側の肩に掛け、前記第１の把持部と前記第２の把持部とを第１の担ぎ手が把持するとともに、前記第２のベルトを被移送者保持部に対し右側に配置した第２の担ぎ手の外側の肩に掛け、前記第３の把持部と前記第４の把持部とを第２の担ぎ手が把持し、被移送者保持部に対し第１の担ぎ手と第２の担ぎ手は正面を向いて両側に配置した正面向き配置と、被移送者保持部に対し第１の担ぎ手と第２の担ぎ手は側方を向いて両側に配置した側方向き配置とに進行方向の前側に位置する担ぎ手が正面向き配置の状態から進行方向に向きを変えるとともに、把持部を持ち替えることで選択できるようにしたことを特徴とするものであるから、被移送者保持部に対し第１の担ぎ手と第２の担ぎ手は正面を向いて両側に配置した正面向き配置と、被移送者保持部に対し第１の担ぎ手と第２の担ぎ手は側方を向いて両側に配置した側方向き配置とに状況に応じて選択できるようにしたものは、通行幅の広いところでは正面向き配置で被移送者を移送することができるとともに、通行幅の狭いところでは側方向き配置で被移送者を移送することができるという効果がある。
【０００９】
第１のベルトと第２のベルトとを被移送者保持部の裏面で交差させて配設させるとともに、第１の把持部と、第２の把持部と、第３の把持部と、第４の把持部とを同一高さにしたものは、被移送者の体重を第１のベルトと第２のベルトで受けることができ、被移送者保持部が回転するようなことは無く安定した状態で被移送者を移送することができるとともに、被移送者保持部を第１のベルトと第２のベルトで補強することができるという効果があり、更に、被移送者保持部に対し第１の担ぎ手と第２の担ぎ手は正面を向いて両側に配置した正面向き配置と、被移送者保持部に対し第１の担ぎ手と第２の担ぎ手は側方を向いて両側に配置した側方向き配置との両方の移送方法において、両手が同じ曲げ具合で被移送者を移送することができ、腕が疲れにくく、長時間の移送が可能であるという効果がある。
【００１０】
前記被移送者保持部の被移送者の臀部を覆う前記臀部被覆部から手前側に延設されて被移送者の腹部を覆う前記腹部保持部には一対の開口部が形成されているものは、一対の開口部に脚を挿入することにより、被移送者の体は安定し、悪条件が想定される災害時の救助時や暗い建物内や駐車場での移送においても被移送者がずり落ちるおそれが無く、安全に移送することができるという効果がある。
【００１１】
腹部被覆部に形成された一対の開口部には、脚を保護する筒状の保護具が着脱自在に取り付けられるようにしたものは、保護具を取り付けるだけで被移送者の脚が雨で濡れないとともに、障害物に当たって怪我をすることを防止することができるという効果がある。
【発明を実施するための形態】
【００１２】
以下、本発明を実施の形態の第１実施例を図１乃至図３に基づいて詳述すると、本発明の被移送者の移送具１は、被移送者の臀部を覆う臀部被覆部２と、前記臀部被覆部２から手前側に延設されて被移送者の腹部を覆う腹部被覆部３とを少なくとも形成した被移送者保持部４と、一端が前記被移送者保持部４の臀部被覆部２の中心線よりも一端側に寄った位置５に固定されるとともに他端が前記被移送者保持部４の腹部被覆部３の中心線よりも臀部被覆部２の固定位置５と同一側に寄った位置６に固定されて第１の担ぎ手の肩に掛けられる第１のベルト７と、一端が前記被移送者保持部４の臀部被覆部２の中心線よりも他端側に寄った位置８に固定されるとともに他端が前記被移送者保持部４の腹部被覆部３の中心線よりも臀部被覆部２の固定位置８と同一側に寄った位置９に固定されて第２の担ぎ手の肩に掛けられる第２のベルト１０と、前記第１のベルト７または被移送者保持部に設けられて第１の担ぎ手の一方の手で把持する第１の把持部１１と、前記第１のベルト７または被移送者保持部４に設けられて第１の担ぎ手の他方の手で把持する第２の把持部１２と、前記第２のベルト１０または被移送者保持部４に設けられて第２の担ぎ手の一方の手で把持する第３の把持部１３と、前記第２のベルト１０または被移送者保持部４に設けられて第２の担ぎ手の他方の手で把持する第４の把持部１４とを備えた被移送者の移送具であって、前記腹部被覆部３には同一高さで被移送者の脚を挿入することが可能な一対の開口部１５を形成している。実施例は、被移送者の脚を挿入することが可能な一対の開口部１５を形成しているが、脚を開口部１５に挿入したくない被移送者には図１０に示すように脚を挿入しないで移送することもできるものであり、体が不自由な被移送者に適した使用方法であり、開口部は必須のものではない。
【００１３】
被移送者保持部４は、展開すると横方向が幅広の略長方形に形成されており、柔らかさと強度を兼ね備えさせるために二重の布地で形成されている。被移送者保持部４は、上方から見ると、図３に示すように、腹部被覆部３側が臀部被覆部２側よりも幅広に形成されており、脚を広げて座ることができて窮屈感を無くすようにしている。臀部被覆部２と腹部被覆部３との間には腰被覆部１６がそれぞれ形成されている。
【００１４】
臀部被覆部２と腰被覆部１６、腹部被覆部３と腰被覆部１６との連結部となる被移送者保持部４の端縁には面取り部１７がそれぞれ形成されている。
【００１５】
臀部被覆部２、腹部被覆部３及び腰被覆部１６の端縁であって、被移送者保持部４の端縁には、第１のベルト７及び第２のベルト１０と同一の材料でできた補強部材１８が縫い付けられており、被移送者保持部４が損傷するのを防止している。
【００１６】
第１のベルト７は、被移送者保持部４の中心線を通る線上であって臀部被覆部２において臀部を位置させることを表示するとともに、補強のために縫い付けられた表示布１９の裏面に位置する縫い始め位置２０から縫い始められ、腹部被覆部３と腰被覆部１６ａとの間に位置する面取り部１７ａから被移送者保持部４の上方に延出され、腰被覆部１６ａと臀部被覆部２との間に位置する面取り部１７ｂから被移送者保持部４に導入され、表示布１９の裏面に位置する縫い始め位置２０と同位置の縫い終わり位置２１まで縫われている。表示布１９は、被移送者保持部４と異なる色（赤色）の布で構成されている。
【００１７】
第２のベルト１０は、第１のベルト７と一体のものであり、第１のベルト７の表示布１９の裏面に位置する縫い終わり位置２１から第１のベルト７に連続して形成されており、表示布１９の裏面位置の縫い終わり位置２１から縫い始められ、腹部被覆部３と腰被覆部１６ｂとの間に位置する面取り部１７ｃから被移送者保持部４の上方に延出され、腰被覆部１６ｂと臀部被覆部２との間に位置する面取り部１７ｄから被移送者保持部４に導入され、表示布１９の裏面に位置する縫い始め位置２０まで縫われている。
このように、第１のベルト７と第２のベルト１０とで被移送者保持部４の裏面で交差させて配設させたものは、第１のベルト７と第２のベルト１０とで被移送者の体重を支えることができ、移送者保持部４全体の強度を高めなくても良いようにしており、被移送者の移送具１の軽量化と被移送者保持部４が損傷するのを防止している。
【００１８】
第１の把持部１１は、第１のベルト７と同一の材質のもので構成されており、ループ状に形成されていて、第１のベルト７と腹部被覆部３との間に縫い付けられている。第１の把持部１１は、突出方向が内側となっており、手を挿入しやすくしている。また、被移送者の脚を持ち上げた状態で被移送者を被移送者の移送具１に保持することができ、被移送者は楽であるとともに、被移送者の重心に近い位置を吊り上げることとなり、第１の担ぎ手と第２の担ぎ手の負担を下げることができるものである。
【００１９】
第２の把持部１２は、第１のベルト７と同一の材料で構成されており、ループ状に形成されていて、第１のベルト７の表面に縫い付けられている。
【００２０】
第３の把持部１３は、第１のベルト７と同一の材料で構成されており、ループ状に形成されていて、第２のベルト１０と腹部被覆部３との間に縫い付けられている。
【００２１】
第４の把持部１４は、第１のベルト７と同一の材料で構成されており、ループ状に形成されていて、第２のベルト１０の表面に縫い付けられている。第１の把持部１１、第２の把持部１２、第３の把持部１３、第４の把持部１４は、把持しやすくするために例えば赤色のように、目立つ色で形成されている。
【００２２】
第１の把持部１１と第２の把持部１２と第３の把持部１３と第４の把持部１４とは、同一高さに設けられている。第１の把持部１１と第２の把持部１２と第３の把持部１３と第４の把持部１４はそれぞれ第１のベルト７及び第２のベルト１０に設けてられており、第１の把持部１１と第２の把持部１２と第３の把持部１３と第４の把持部１４の取付強度の向上が図られるとともに、被移送者による負荷が第１の担ぎ手Ａと第２の担ぎ手Ｂの肩と両手に分散され、例え長時間担いでいたとしても肩が痛くなりにくいという効果があり、更に、手で点滴を持つことも可能であるという効果がある。また、第２の把持部１２と第４の把持部１４を担ぎ手Ｃが把持して持ち上げることで第１の担ぎ手Ａと第２の担ぎ手Ｂの負担を軽減することができる者である。
【００２３】
第１のベルト７と腹部被覆部３との間、第２のベルト１０と腹部被覆部３との間にそれぞれ縫い付けられている補強部材２２は、移送者保持部４の補強が図られており、移送者保持部４が被移送者の脚の重量により損傷するのを防止している。特に、ハの字になっていているものは、補強効果が高いものである。
【００２４】
開口部１５は、表示布１９に臀部を位置させて被移送者保持部４内に被移送者を下半身を収容した際に脚が出る位置であって、第１のベルト７と第２のベルト１０と対となった補強部材２２で囲まれた腹部被覆部３に形成されており、脚の荷重を第１のベルト７と第２のベルト１０と対となった補強部材２２で支えるようになっている。
【００２５】
第１の把持部１１は、第１のベルト７と補強部材２２との間に挟みこまれており、被移送者保持部４は二重になっているので、第１の把持部１１の取り付け部は６重の布で構成されており、強度が考慮されている。
【００２６】
第３の把持部１３は、第２のベルト１０と補強部材２２との間に挟みこまれており、被移送者保持部４は二重になっているので、第３の把持部１３の取り付け部は６重の布で構成されており、強度が考慮されている。
【００２７】
臀部被覆部２と腹部被覆部３と腰被覆部１６の上端部には、複数のタック２３がそれぞれ設けられて、被移送者保持部４全体が移送者の体を包みこんで密着するようになっており、被移送者保持部４に保持された被移送者の体が安定するように考慮されている。
【００２８】
次に、本発明を実施の形態の第２実施例を図４に基づいて説明すると、開口部１５には、腹部被覆部３の上端部に跨ってファスナー２４が設けられており、ファスナー２４を開放し、被移送者の脚を開口部１５内に位置させた後、ファスナー２４を閉じることにより、被移送者は開口部１５に脚を挿入することなく開口部１５内に脚を入れることが可能となり、開口部１５内への脚入れが容易にできるという効果がある。実施例はファスナーにしたが、ぼたんのような締結具や面状ファスナーのような締結具でも構わないものである。被移送者保持部４に被移送者を座らせた後にファスナー２４を閉じても構わないし、被移送者保持部４を被移送者に押し当てた状態でファスナー２４を閉じても構わないものである。
【００２９】
次に、本発明を実施の形態の第３実施例を図５に基づいて説明すると、開口部１５には、脚を保護する筒状の保護具２５を着脱自在に取り付けるファスナー２６が設けられている。保護具２５は、靴を履いたままでも脚を挿入することができるように保護具２５の裾がファスナー２７にて拡がるようになっていたり、脚に保護具２５を装着した後にファスナー２６に取り付けることができるようになっている。実施例はファスナーにしたが、ぼたんのような締結具や面状ファスナーのような締結具でも構わないものである。
【００３０】
次に、本発明を実施の形態の第４実施例を図６及び第７図に基づいて説明すると、第１の把持部１１及び第３の把持部１３は、第１のベルト７及び第２のベルト１０の補強部材２２との交差部よりも上部の位置にそれぞれ2個間隔を開けて設けており、第１の担ぎ手Ａと第２の担ぎ手Ｂが選択して把持することができるようにして第１の担ぎ手Ａと第２の担ぎ手Ｂの身長差をカバーするようにしている。第１の把持部１１及び第３の把持部１３は、環状にしており、手を挿入し易くしている。実施例は、第１の把持部１１及び第３の把持部１３をそれぞれ２個設けたが、２個に限定されるものではなく、多くあればそれだけ望ましいものである。第２の把持部１２及び第４の把持部１４は、補強部材１８に所定の間隔を開けて固着されている。第１の担ぎ手Ａと第２の担ぎ手Ｂがそれぞれ把持する際に邪魔にならないように間隔を開ければよいものである。第２の把持部１２及び第４の把持部１４は、環状にしており、手を挿入し易くしている。第２の把持部１２及び第４の把持部１４は、補強部材１８に所定の間隔を開けて固着することで、被移送者を安定させた状態で移送させることが可能となる。
【００３１】
次に、本発明の被移送者の移送具の使用方法について、図８及び図９を参照して説明する。図８は、被移送者保持部４に対し第１の担ぎ手Ａと第２の担ぎ手Ｂは正面を向いて両側に配置した正面向き配置の状態であり、第１の担ぎ手Ａは、第１のベルト７を右肩に掛けるとともに、右手で第１の把持部１１を把持し、左手で第２の把持部１２を把持し、第２の担ぎ手Ｂは、第２のベルト１０を左肩に掛けるとともに、左手で第３の把持部１３を把持し、右手で第４の把持部１４を把持し、第１の担ぎ手Ａと第２の担ぎ手Ｂが協力しあって被移送者を移送するのであり、通行幅の広いところでの移送に適しているとともに、被移送者は第１の担ぎ手Ａと第２の担ぎ手Ｂと同様に進行方向が見えるので安心感を得ることができるものである。図９は、被移送者保持部４に対し第１の担ぎ手Ａと第２の担ぎ手Ｂは側方を向いて両側に配置した側方向き配置の状態であり、第１の担ぎ手Ａは図６の正面向き配置の状態から右に向きを変え、第２の担ぎ手Ｂは図６の正面向き配置の状態から右に向きを変えるとともに、右手で第３の把持部１３を把持し、左手で第４の把持部１４を把持するように持ち替えれるだけでよいものであり、通行幅の狭いところでの移送に適している。このように、通行幅などの状況に応じて、図６の正面向き配置の状態と、側方向き配置の状態とを自由に且つ簡単に選択できるのである。被移送者は、被移送者保持部４の端縁に設けられた補強部材１８を把持することで安心して移送されることができる。
【００３２】
被移送者保持部４の実施例は同一材質の二重の布地で形成したが、外側を防水性の高い材質で構成したり、内側を保温性の高い材質で形成しても構わないものである。
【図面の簡単な説明】
【００３３】
【図１】本発明の第1実施例における被移送者の移送具の正面図。
【図２】本発明の第1実施例における被移送者の移送具の背面図。
【図３】本発明の第1実施例における被移送者の移送具の平面図
【図４】本発明の第２実施例における被移送者の移送具の正面図。
【図５】本発明の第３実施例における移送者の移送具の正面図。
【図６】本発明の第４実施例における被移送者の移送具の正面図。
【図７】本発明の第４実施例における被移送者の移送具の背面図。
【図８】本発明の第１実施例における使用状態図。
【図９】本発明の第１実施例における使用状態図。
【図１０】本発明の第１実施例における使用状態図。
【符号の説明】
【００３４】
１    被移送者の移送具
２    臀部被覆部
３    腹部被覆部
４    被移送者保持部
５    臀部被覆部２の中心線よりも一端側に寄った位置
６    腹部被覆部３の中心線よりも臀部被覆部２の固定位置５と同一側に寄った位置
７    第１のベルト
８    臀部被覆部２の中心線よりも他端側に寄った位置
９    腹部被覆部３の中心線よりも臀部被覆部２の固定位置８と同一側に寄った位置
１０    第２のベルト
１１    第１の把持部
１２    第２の把持部
１３    第３の把持部
１４    第４の把持部
１５    開口部
【図１】
2015016057.tif 000003
【図２】
2015016057.tif 000004
【図３】
2015016057.tif 000005
【図４】
2015016057.tif 000006
【図５】
2015016057.tif 000007
【図６】
2015016057.tif 000008
【図７】
2015016057.tif 000009
【図８】
2015016057.tif 000010
【図９】
2015016057.tif 000011
【図１０】
2015016057.tif 000012